(57)【特許請求の範囲】
【請求項１】
センサが収納されたセンサ本体の端部に取付フランジを設け、この取付フランジに前記センサ本体と反対側に端子を持つ保持部材を設けると共に、貫通孔が形成されたポンプブラケットと、
吸入弁と吐出弁とを有し、パルス電流によりピストンが往復動してポンプ室の容積変化を与えて、ポンプ作用を行なう電磁ポンプにあって、吸入通路を有する吸入通路部材を直線状に形成すると共に、前記吸入通路部材又は電磁コイルのボビンもしくは双方から横方向へ延びる延出部を形成し、この延出部に嵌合孔が形成された電磁ポンプとを備え、
前記電磁ポンプの吸入通路部材を、前記ポンプブラケットの貫通孔に貫挿し、その基部を当該ポンプブラケットに着座させると共に、前記ポンプブラケットの端子を持つ保持部材を前記電磁ポンプの延出部に形成の嵌合孔内へ嵌合させたことを特徴とする電磁ポンプを装着したポンプブラケット。
【発明の詳細な説明】
【０００１】
【産業上の利用分野】
この発明は、液体の移送に際し用いられる電磁ポンプを容器に装着するために用いられるポンプブラケットに関するものである。
【０００２】
【従来の技術】
容器内の液量の満量又は容量を液体検出センサで検出し、この検出値にて容器内へ液体を給排する電磁ポンプを駆動制御することは公知である。このような公知の装置にあって、液体検出センサと電磁ポンプとは別々に容器に取付られていた。このために、容器が何らかの原因で傾くと、容器内の液面が液体検出センサと電磁ポンプの吸排パイプの下端とに位置ずれが生じ、制御に不都合が生じていた。
【０００３】
【発明が解決しようとする課題】
したがって、この不都合を解決するために、電磁ポンプの吸入パイプに液体検出センサを一体化した技術が開発された。しかし一体化したことで、前記不都合は解決されたが、逆に一体化したことで製造上電磁ポンプの給入パイプの製造にあって、今まで使用されている構成と極端に異なり、この機種だけのために新たなる設計をし且つ製造しなければならない不都合が生じていた。
【０００４】
このため、この発明では、電磁ポンプと液体検出センサとは近接するが別体とし、しかも電磁ポンプの吸入パイプの基本的構造を崩さない構成をしながら、液体検出センサをポンプブラケットに取付けると共に、該ポンプブラケットに電磁ポンプが装着容易とすることを目的とするものである。
【０００５】
【課題を解決するための手段】
この発明の電磁ポンプを装着したポンプブラケットは、センサが収納されたセンサ本体の端部に取付フランジを設け、この取付フランジに前記センサ本体と反対側に端子を持つ保持部材を設けると共に、貫通孔が形成されたポンプブラケットと、吸入弁と吐出弁とを有し、パルス電流によりピストンが往復動してポンプ室の容積変化を与えて、ポンプ作用を行なう電磁ポンプにあって、吸入通路を有する吸入通路部材を直線状に形成すると共に、前記吸入通路部材又は電磁コイルのボビンもしくは双方から横方向へ延びる延出部を形成し、この延出部に嵌合孔が形成された電磁ポンプとを備え、前記電磁ポンプの吸入通路部材を、前記ポンプブラケットの貫通孔に貫挿し、その基部を当該ポンプブラケットに着座させると共に、前記ポンプブラケットの端子を持つ保持部材を前記電磁ポンプの延出部に形成の嵌合孔内へ嵌合させたことにある。
【０００６】
【作用】
従って、装着される容器にポンプブラケットが装着されると、まず液体検出センサが容器内に挿入配置され、そしてポンプブラケットの取付フランジの貫通孔に電磁ポンプの吸入通路を有する吸入通路部材を挿入し、その基部を当該ポンプブラケットに着座しながら、ポンプブラケットの取付フランジに設けられた端子を持つ保持部材を、前記電磁ポンプの吸入通路部材又は電磁コイルのボビン並びに双方に横方向へ延びる延出部に形成の嵌合孔に嵌合させて装着する。これにより、電磁ポンプはポンプブラケットに位置決めされながら容易且つ確実に装着されるし、吸入通路は液体検出センサと近接した位置となる。
【０００７】
【実施例】
以下、この発明の実施例を図面により詳述する。
【０００８】
図１、図２で、ポンプブラケット１に電磁ポンプ２が装着された例が示され、図３、図４で、ポンプブラケット１が示され、図５、図６で、電磁ポンプ２が示されている。
【０００９】
まず、図１及至図４で、ポンプブラケット１を先に説明する。ポンプブラケット１は、センサ３が収納されたセンサ本体４と、このセンサ本体４の一端に設けられた取付フランジ５より成り、センサ３は、ＬＥＤチップなどの発光素子チップとフォトダイオードチップ等の受光素子チップと、これらの上端領域を覆うレンズからなり、このレンズが空気中にある場合には、レンズの内面に当たって全反射せしめられて、受光素子チップに入射する。一方レンズが液中に位置する場合は、レンズにて反射されず液中に射出し、受光素子チップに流れる電流量は減少する。したがって、この電流量を検出することで、液面がセンサより上又は下にあるかが検出されるものである。
【００１０】
センサ本体４は内部空間４ａを有する筒状のもので、先端が開口し、先端付近にセンサ３が取付られ、他端は下記するフランジ５と一体化され、リード線６を持って、取付フランジ５に設けられた下記する保持部材７に取付られた端子８に接続されている。
【００１１】
取付フランジ５は、四角形状にもので、中心付近に前記センサ３が収容されているセンサ本体４の内部空間４ａと連通する取付孔９が形成され、この取付孔９に３本の端子８が設けられた保持部材７が嵌合し、この保持部材７は取付フランジ５の上面から突出した構造、即ち、保持部材７はセンサ本体の反対側の取付フランジ５に突設されている。この保持部材７は、中間に段部を有しているものである。なお端子８の２本は電源と接続する端子であり、１本は液面状態を出力する出力端子である。
【００１２】
また、取付フランジ５は、中心に、段付の貫通孔１１が形成され、下記する電磁ポンプ２の吸入通路部材３１が挿入されるものである。なお取付のフランジ５の四角に孔１２，１２及び螺子孔を持つダボ１３が形成されている。
【００１３】
図１、図２及び図５、図６において、電磁ポンプ２は、プランジャガイドケース２０内に電磁プランジャ２１が上下のスプリング２２，２３で支えられて配されている。電磁プランジャ２１は縦方向に通孔２４が形成され、この通孔内にスプリング２５付勢の吸入弁２６が配されている。
【００１４】
プランジャガイドケース２０の外側には、磁性体の上下の磁気筒２７ａ，２７ｂが配され、この外側にはボビン２８に巻装された電磁コイル２９が配されている。ボビン２８の下端には、吸入通路３０が形成の吸入通路部材３１がその基部３１ａを介して取付られ、上端には、吐出継手３３が設けられ、その内部の通孔３４内にはスプリング３５付勢の吐出弁３６が配されている。この吐出弁３６と前記吸入弁２６と、電磁プランジャ２１の往復動で、吸入通路３０から液体を吸入し、吐出継手３３の吐出口３７より吐出される。なお、電磁コイル２９の外側には、磁性材のケース３８が外嵌され、吸入通路部材３１にねじ３９にてねじ止めされている。
【００１５】
このような構造の電磁ポンプ２にあって、前記ボビン２８の下端と、前記吸入通路３０が形成の吸入通路部材３１の基部３１ａから、横方向へ延出する延出部４０が形成され、該延出部４０にはダイオード４１等の素子が取付られ、また、下方には大きな孔４２ｂ、上方には小さな孔４２ａを持つ四角形状の嵌合孔４２が形成されている。なお、この嵌合孔４２の縦方向延長上には前記ダイオード４１等の素子へ接続用の端子４３が突設されている。また、角には前記ダボ１３，１３に嵌合する孔４４，４４が形成されている。なお、延出部４０は、図示しないが、ボビン２８または吸入通路部材３１の基部３１ａから単独で構成しても良い。
【００１６】
上述の構成のポンプブラケット１に電磁ポンプ２と組付には、図１、図２に示すように、まず、ポンプブラケット１を容器５０の上板に形成の取付孔５２に嵌め入れ、その際ポンプブラケット１に取付られたセンサ本体４は、取付孔５２から容器５０内へ挿入させる。そして、ねじ５１，５１をもってねじ止めする。
【００１７】
それから、電磁ポンプ２の吸入通路３０が形成の吸入通路部材３１を貫通孔１１から挿入し、その基部３１ａをポンプブラケット１に着座させる。その際に、ポンプブラケット１に突設の端子８を有する保持部材７を前記延出部４０の嵌合孔４２内に挿入する。端子８は嵌合孔４２より突出する。そして、前記ダボ１２，１２を前記孔４４，４４内に入れてから、ねじ５３，５３にてねじ止めする。
【００１８】
これにより、電磁ポンプ２は、ポンプブラケット１に装着される。この結果、電磁ポンプ２の吸入通路３０を有する吸入通路部材３１は前記センサ３を有するセンサ本体４に近接に配置されることになる。また、電磁ポンプ２の取付も容易であると共に、ポンプブラケット１に突設の保持部７を電磁ポンプ２の延出部４０の嵌合孔４２と嵌合させる手段を持つために、電磁ポンプ２の位置決めが行なわれるため誤組付がない。またさらに、センサ３の３つの端子８と電磁ポンプ２の駆動用の２つの端子４３とは一直線状に並び、コネクタを一つのものにて利用することができるようになっている。
【００１９】
【発明の効果】
以上、この発明によれば、電磁ポンプ取付用のポンプブラケットに液体検出用のセンサを取付けて、電磁ポンプとは別体にし、この結果電磁ポンプの構造をあまり変更させない構造となり、電磁ポンプの構造の変化を最小限とすると共に、ポンプブラケットへの電磁ポンプの装着も吸入通路部材をポンプブラケットの貫通孔に挿入し、それと共にポンプブラケットの端子を有する保持部材を電磁ポンプの延出部に形成の嵌合孔に挿入することで容易に装着されると共に、電磁ポンプとポンプブラケットとの誤組付が生じない構成を有しているものである。
【図面の簡単な説明】
【図１】この発明の実施例を示す断面図である。
【図２】同上の上面図である。
【図３】ポンプブラケットの断面である。
【図４】同上の上面図である。
【図５】電磁ポンプの断面図である。
【図６】同上の上面図である。
【符号の説明】
１  ポンプブラケット
２  電磁ポンプ
３  センサ
４  センサ本体
５  取付フランジ
７  保持部材
８  端子
１１  貫通孔
２６  吸入弁
２８  ボビン
３３  吐出継手
３６  吐出弁
４０  延出部
４２  嵌合孔
【図１】
0003632157.tif 000002
【図２】
0003632157.tif 000003
【図３】
0003632157.tif 000004
【図４】
0003632157.tif 000005
【図５】
0003632157.tif 000006
【図６】
0003632157.tif 000007